(57)【要約】【課題】使用済みの樹脂フィルムに付いた泥等を洗浄水を使わないでも十分に洗浄できる乾式洗浄機を提供する。【解決手段】樹脂フィルムの洗浄機１において、樹脂フィルムが投入される投入口７と、この投入口７から樹脂フィルムが導かれる洗浄プレート２と、この洗浄プレート２に樹脂フィルムを押し付けながら循環する洗浄ベルト３と、洗浄プレート２を通過した樹脂フィルムを排出する排出口８とを備え、洗浄プレート２を通して樹脂フィルムから分離した汚れを回収する構成とする。【選択図】    図１
2004202301.tif 000002
【特許請求の範囲】
【請求項１】
樹脂フィルムが投入される投入口と、この投入口から樹脂フィルムが導かれる洗浄プレートと、この洗浄プレートに樹脂フィルムを押し付けながら循環する洗浄ベルトと、洗浄プレートを通過した樹脂フィルムを排出する排出口とを備え、洗浄プレートを通して樹脂フィルムから分離した汚れを回収する構成としたことを特徴とする樹脂フィルムの洗浄機。
【請求項２】
前記洗浄プレートを通して空気を吸引する吸引手段を備えたことを特徴とする請求項１に記載の樹脂フィルムの洗浄機。
【発明の詳細な説明】
【０００１】
【発明の属する技術分野】
本発明は、樹脂フィルムを再利用するための洗浄機に関するものである。
【０００２】
【従来の技術】
畑等で使用された使用済みの農業用のポリエチレン製フィルム、ビニール製フィルム等を再生する場合、フィルムに付いた泥等の汚れを洗浄する必要があった。
【０００３】
従来、この種の再生装置として、図１３に示すように、破砕されたフィルム廃棄物から汚泥等の異物を分離除去する水洗式の洗浄機１０１を備えるものがあった。この洗浄機１０１は、円筒形の洗浄槽１０２と、洗浄槽１０２内に入れられた洗浄液とフィルム廃棄物と旋回させるロータ１０３と、洗浄済みのフィルム廃棄物を外部に取り出す取出パイプ１０４と、取出パイプ１０４中に取付けられた開閉弁１０５とからなる。ロータ１０３が回転すると、導入されたフィルム片が水槽１０２内の洗浄液と一緒に旋回流動し、フィルム廃棄物に付いた汚れを落とすようになっている。
【０００４】
【特許文献１】
特開２００１−１７０９３７号公報
【０００５】
【発明が解決しようとする課題】
しかしながら、このような水洗式の洗浄機１０１はフィルム廃棄物を洗浄するのに大量の洗浄水を使うため、洗浄水を浄化処理する設備や、洗浄後のフィルム廃棄物を乾燥させる設備が必要となり、設備コスト及びランニングコストが高くなるという問題点があった。
【０００６】
また、従来、洗浄水を使わない乾式の洗浄機として、多数のピンが突出した回転体を備え、ピンが樹脂フィルムに衝突する衝撃力によって汚れを剥離させるものがあった。
【０００７】
しかしながら、この場合、厚みのあるビニール製フィルム等に付着した汚れを十分に落とすことができないという問題点があった。
【０００８】
本発明は上記の問題点に鑑みてなされたものであり、使用済みの樹脂フィルムに付いた泥等を洗浄水を使わないでも十分に洗浄できる洗浄機を提供することを目的とする。
【０００９】
【課題を解決するための手段】
第１の発明は、樹脂フィルムの洗浄機において、樹脂フィルムが投入される投入口と、この投入口から樹脂フィルムが導かれる洗浄プレートと、この洗浄プレートに樹脂フィルムを押し付けながら循環する洗浄ベルトと、洗浄プレートを通過した樹脂フィルムを排出する排出口とを備え、洗浄プレートを通して樹脂フィルムから分離した汚れを回収する構成としたことを特徴とするものとした。
【００１０】
第２の発明は、第１の発明において、洗浄プレートを通して空気を吸引する吸引手段を備えたことを特徴とするものとした。
【００１１】
【発明の作用および効果】
第１の発明によると、投入口から導入される樹脂フィルムは、循環する洗浄ベルトによって洗浄プレートに摺接しながら排出口へと送られる。樹脂フィルムは洗浄プレートと洗浄ベルトの間を通って排出口へと向かう過程で、洗浄プレート及び洗浄ベルトから摩擦力が繰り返し与えられることによってその表面に付いた汚れが十分に落とされて、排出口から排出される。これにより、例えば畑で使用された樹脂フィルム等の汚れを洗浄水を使わないでも十分に落とすことが可能となる。
【００１２】
また、この洗浄機は樹脂フィルムの投入、洗浄、排出を連続して行うため、高い処理効率が得られる。
【００１３】
第２の発明によると、洗浄プレートを通して空気を吸引することによって、洗浄プレート２に摺接する樹脂フィルムから汚れが分離されることが促され、分離した汚れが回収される。
【００１４】
【発明の実施の形態】
以下、本発明の実施の形態を添付図面に基づいて説明する。
【００１５】
図１は本発明の樹脂フィルムの乾式洗浄機１を示し、この洗浄機１は使用済みの農業用のポリエチレン製フィルム、ビニール製フィルム等の樹脂フィルムを再生する再生装置に備えられる。この再生装置は、図示しない粉砕器によってある程度の大きさに破砕された樹脂フィルムが洗浄機１に導入され、洗浄機１によって樹脂フィルムに付いた泥等が分離され、各洗浄機１から排出された後に所定の処理行程を経て再生材料がつくられる。
【００１６】
洗浄機１は、樹脂フィルムが投入される投入口７と、この投入口７から樹脂フィルムが導かれる洗浄プレート２と、この洗浄プレート２に樹脂フィルムを押し付けながら循環する洗浄ベルト３と、洗浄プレート２を通過した樹脂フィルムを排出する排出口８とを備え、洗浄プレート２を通して樹脂フィルムから分離した汚れを回収する構成とする。
【００１７】
洗浄プレート２の一端に投入口７を形成する上向き傾斜プレート１１が接続され、洗浄プレート２の他端に排出口８を形成する下向き傾斜プレート１２が接続される。
【００１８】
洗浄プレート２は多数の穴が開口したパンチングメタル材によって形成され、る。樹脂フィルムから落とされた泥や粉塵が穴を通る構造とする。なお、洗浄プレート２はこれに限らず、例えば網状の部材を用いても良い。
【００１９】
洗浄プレート２を通して空気を吸引する吸引手段として、洗浄プレート２の洗浄ベルト３との反対側にロート状の吸引ケース４が設けられる。吸引ケース４は洗浄プレート２を通して空気を吸引することにより、樹脂フィルムから落とされた汚れを集める。吸引ケース４に吸引される空気は、図示しないブロアを介してサイクロンに送られ、樹脂フィルムから分離した泥や塵埃が遠心力によって回収される。
【００２０】
洗浄ベルト３はエンドレスの帯状に形成され、その背面に転接する対のローラ１３，１４を介して洗浄プレート２に略平行に対峙して循環するように案内される。
【００２１】
図２に示すように、フレーム１０にはローラ１３の回転軸１５が軸受２１，２２を介して水平軸まわりに回動可能に支持される。回転軸１５の一端にはスプロケット２３が結合され、このスプロケット２３に掛け回される図示しないチェーンを介して回転力が伝達される。
【００２２】
ローラ１３，１４はそれぞれの両端にスプロケット１６，１７が結合され、各スプロケット１６どうし、各スプロケット１７どうしに掛け回される各チェーン１８，１９を介して同期回転する。このローラ１３，１４の回転によって洗浄ベルト３は洗浄プレート２に対峙する下部が投入口７から排出口８へと移動するように循環する。
【００２３】
洗浄ベルト３の表面には多数のブラシ毛２０が植えられている。このブラシ毛２０は例えば合成樹脂材料からなり、洗浄プレート２に摺接するようになっている。
【００２４】
洗浄ベルト３の上部を覆うカバー２１が設けられる。このカバー２１の端部２２はローラ１３に沿って下向きに湾曲し、上向き傾斜プレート１１との間に投入口７を形成する。
【００２５】
以上のように構成されて、次に作用について説明する。
【００２６】
投入口７から投入された樹脂フィルムの破砕片は、循環する洗浄ベルト３によって洗浄プレート２に摺接しながら排出口８へと送られる。樹脂フィルムは洗浄プレート２と洗浄ベルト３の間を通って排出口１０へと向かう過程で、洗浄プレート２及び洗浄ベルト３のブラシ２０から摩擦力が繰り返し与えられることによってその表面に付いた汚れが十分に落とされて、排出口８から排出される。
【００２７】
吸引ケース４が洗浄プレート２を通して空気を吸引することによって、洗浄プレート２に摺接する樹脂フィルムから汚れが分離されることが促され、分離した汚れが回収される。
【００２８】
これにより、例えば畑で使用された樹脂フィルム等の汚れを洗浄水を使わないでも十分に落とすことが可能となる。こうして乾式洗浄機１にて洗浄された樹脂フィルムは図示しない送りブロアを介してサイクロンに送られ、樹脂フィルムから分離した泥や塵埃が遠心力によって取り除かれた後、所定の処理行程を経て再生材料となる。
【００２９】
本発明は上記の実施の形態に限定されずに、その技術的な思想の範囲内において種々の変更がなしうることは明白である。
【図面の簡単な説明】
【図１】本発明の実施の形態を示す樹脂フィルムの洗浄機の側面図。
【図２】同じく正面図。
【図３】従来例を示す樹脂フィルムの洗浄機の断面図。
【符号の説明】
１  洗浄機
２  洗浄プレート
３  洗浄ベルト
４  吸引ケース
７  投入口
８  排出口
２０  ブラシ
【図１】
2004202301.tif 000003
【図２】
2004202301.tif 000004
【図３】
2004202301.tif 000005